(57)【要約】      （修正有）【課題】ゴルフクラブのシャフトにグリップを強固に結合可能で、ゴルフボールを打撃しているときに、ゴルフクラブのシャフトが回動不能であり、ゴルフボールに狙いを確実に決められる構造を提供する。【解決手段】末端に開口を有するシャフト１と、シャフトの末端に組み付けられ、外周面に凹凸構造が設けてあり、その内部には軸心に沿った中心穴２２が開設してある拡径係止子２とシャフトの末端が挿入可能であるグリップスリーブ３と、締付子４と、を含み、締付子は周面に螺旋段４３を設けたロッド部とヘッド部４２とを有し、ロッド部の径が拡径係止子の中心穴の径よりも大きく、ヘッド部の径がグリップスリーブの嵌め空間の内径よりも大きく、グリップスリーブから拡径係止子の中心穴にねじ込み可能である。【選択図】図１
0003140064.tif 000002
【実用新案登録請求の範囲】
【請求項１】
末端に開口が設けてあるシャフトと、
前記シャフトの内部の末端に組み付けられ、外周面に凹凸構造が設けてあり、その内部には軸心に沿った中心穴が開設してある拡径係止子と、
前記シャフトの嵌め空間に向いている開口が設けてあり、前記シャフトの末端が挿入可能であるグリップスリーブと、
ロッド部とヘッド部とを有し、前記ロッド部の周面に螺旋段が設けてあり、前記ロッド部の直径が前記拡径係止子の中心穴の内径よりも大きく、なお、前記ヘッド部の直径が前記グリップスリーブの嵌め空間の内径よりも大きく、前記グリップスリーブから前記拡径係止子に設けられた中心穴にねじ込み可能である締付子と、を含むことを特徴とする、
ゴルフクラブのシャフトとグリップの結合構造。
【請求項２】
前記拡径係止子がゴムで成形されていることを特徴とする、請求項１に記載のゴルフクラブのシャフトとグリップの結合構造。
【請求項３】
前記グリップスリーブの末端に補強子が埋め込まれていることを特徴とする、請求項１に記載のゴルフクラブのシャフトとグリップの結合構造。
【考案の詳細な説明】
【技術分野】
【０００１】
本考案は、ゴルフクラブのシャフトとグリップの結合構造に係り、特に、ゴルフクラブのシャフトにグリップを強固に結合可能であり、ゴルフボールを打撃しているときに、ゴルフクラブのシャフトが回動不能であるので、ゴルフボールに狙いを確実に決め可能である、ゴルフクラブのシャフトとグリップの結合構造に関するものである。
【背景技術】
【０００２】
現在、一般に、ゴルフクラブのシャフトの末端にはグリップスリーブが結合されている。グリップスリーブにより、ユーザはゴルフクラブのシャフトを確実に握り可能であると共に、ゴルフボールを打撃するときに発生する振動を低減することが可能である。
【０００３】
米国特許第６６２６７６８号公報に開示されたものは、ゴルフクラブのシャフトの末端にグリップスリーブが挿入されて結合されているが、シャフトとグリップスリーブが嵌合だけによって結合するので、シャフトにグリップスリーブを強固に嵌合することができない。すなわち、グリップスリーブは依然としてシャフトに対して回動可能であり、ゴルフボールに狙いを確実に決めることができない。
【０００４】
また、米国特許第６９８８９５８号公報に開示されたものは、グリップスリーブの内部に金属リングが埋め込んであり、前記金属リング及びグリップスリーブには互いに対応する締付穴が設けてある。ねじを締付穴にねじ込んだ後、ねじの端部がゴルフクラブのシャフトの周面に緊迫するものである。
しかしながら、ねじ及びシャフトは金属製であり、その表面が極めて平滑であるので、ねじをシャフトの周面に緊迫しても、シャフトにグリップスリーブを強固に嵌合することができない。すなわち、グリップスリーブは依然としてシャフトに対して回動可能であり、ゴルフボールに狙いを確実に決めることができない。
【考案の開示】
【考案が解決しようとする課題】
【０００５】
本考案の主な目的は、ゴルフクラブのシャフトにグリップを強固に結合可能であり、ゴルフボールを打撃しているときに、ゴルフクラブのシャフトが回動不能であるので、ゴルフボールに狙いを確実に決め可能である、ゴルフクラブのシャフトとグリップの結合構造を提供することにある。
【課題を解決するための手段】
【０００６】
上記目的を達成するためになされた本願の第１考案は、末端に開口が設けてあるシャフトと、前記シャフトの内部の末端に組み付けられ、外周面に凹凸構造が設けてあり、その内部には軸心に沿った中心穴が開設してある拡径係止子と、前記シャフトの嵌め空間に向いている開口が設けてあり、前記シャフトの末端が挿入可能であるグリップスリーブと、ロッド部とヘッド部とを有し、前記ロッド部の周面に螺旋段が設けてあり、前記ロッド部の直径が前記拡径係止子の中心穴の内径よりも大きく、前記ヘッド部の直径が前記グリップスリーブの嵌め空間の内径よりも大きく、前記グリップスリーブから前記拡径係止子に設けられた中心穴にねじ込み可能である締付子と、を含むことを特徴とするゴルフクラブのシャフトとグリップの結合構造であることを要旨としている。
【０００７】
本願の第２考案では、前記拡径係止子はゴムで成形されたことを特徴とする、前記第１考案に記載のゴルフクラブのシャフトとグリップの結合構造であることを要旨としている。
【０００８】
本願の第３考案では、前記グリップスリーブの末端に補強子が埋め込んでいることを特徴とする、前記第１考案に記載のゴルフクラブのシャフトとグリップの結合構造であることを要旨としている。
【考案の効果】
【０００９】
本考案のゴルフクラブのシャフトとグリップの結合構造によれば、ゴルフクラブのシャフトにグリップを強固に結合可能であり、ゴルフボールを打撃しているときに、ゴルフクラブのシャフトが回動不能であるので、ゴルフボールに狙いを確実に決めることが可能となるという効果が得られる。
【考案を実施するための最良の形態】
【００１０】
以下、添付図面を参照して本考案の好適な実施の形態を詳細に説明する。
【００１１】
まず、図１乃至図５を参照する。本考案のゴルフクラブのシャフトとグリップの結合構造は、シャフト１と、拡径係止子２と、グリップスリーブ３と、締付子４と、を含む。
【００１２】
前記シャフト１は、中空空間１１を有するチューブであり、その末端に開口１２が設けてある。
【００１３】
前記拡径係止子２は、前記シャフト１の中空空間１１の末端に組み付けられ、軟質な樹脂材料で成形され、外周面２１に溝２１１と環状突起２１２とが交錯に形成され、その内部には軸心に沿った中心穴２２が開設してある。
【００１４】
前記グリップスリーブ３は、前記シャフト１の嵌め空間３１に向いている開口３１１が設けてあり、前記シャフト１の末端が挿入可能である。
【００１５】
前記締付子４は、ロッド部４１とヘッド部４２とを有し、前記ロッド部４１の周面に螺旋段４３が設けてあり、前記ロッド部４１の直径が前記拡径係止子２の中心穴２２の内径よりも大きい。
前記ヘッド部４２の直径が前記グリップスリーブ３の嵌め空間３１の内径よりも大きい。
【００１６】
次に、図１、図２及び図５を参照しながら本考案の組付方法を詳細に説明する。
まず、ゴルフクラブのシャフト１の末端の開口１２から拡径係止子２を中空空間１１に入れて、グリップスリーブ３の嵌め空間３１にシャフト１の末端を嵌め込んで、拡径係止子２の中心穴２２に締付子４をねじ込む。
拡径係止子２のロッド部４１の直径が中心穴２２よりも大きく、且つ拡径係止子２がゴムで成形されるので、拡径係止子２の溝２１１及び環状突起２１２の周面の直径が大きくなっているのるで、シャフト１の内周面に緊迫するようになる。
このとき、締付子４のヘッド部４２がグリップスリーブ３に当接しているので、グリップスリーブ３はシャフト１に強固に結合されるようになる。
【００１７】
また、グリップスリーブ３を取り替える場合には、締付子４を緩めるだけで、拡径係止子２の周面の直径が小さくなる。これにより、グリップスリーブ３とシャフト１の係止状態が解除される。すなわち、シャフト１からグリップスリーブ３を取り外すことができる。
【００１８】
また、図３及び図４に示すように、前記グリップスリーブ３の末端に補強子３２が一体に埋め込んでいるので、前記補強子３２によりグリップスリーブ３の末端の強度が強化される。そうすると、締付子４をねじ込んでも、グリップスリーブ３は損壊し難い。
【００１９】
上記の説明から明らかなように、本考案のゴルフクラブのシャフトとグリップの結合構造によれば、拡径係止子２の中心穴２２に締付子４をねじ込むと、拡径係止子２のロッド部４１の直径が中心穴２２よりも大きく、且つ拡径係止子２がゴムで成形されるので、拡径係止子２の溝２１１及び環状突起２１２の周面の直径が大きくなってシャフト１の内周面に緊迫するようになる。
このとき、締付子４のヘッド部４２がグリップスリーブ３に当接しているので、グリップスリーブ３はシャフト１に強固に結合されるようになる。
また、グリップスリーブ３を取り替えようとする場合には、締付子４を緩めるだけで、拡径係止子２の周面の直径が小さくなり、これにより、グリップスリーブ３とシャフト１の係止状態が解除される。すなわち、シャフト１からグリップスリーブ３を容易に取り外すことができる。
【図面の簡単な説明】
【００２０】
【図１】本考案の分解斜視図である。
【図２】本考案の組合状態の断面図である。
【図３】本考案の組合状態の一部の拡大断面図である（締付子がねじ込まれていない状態）。
【図４】本考案の組合状態の一部の拡大断面図である（締付子がねじ込まれた状態）。
【図５】本考案の別の実施例の組合状態の一部の拡大断面図である。
【符号の説明】
【００２１】
１        シャフト
１１      中空空間
１２      開口
２        拡径係止子
２１      外周面
２１１    溝
２１２    環状突起
２２      中心穴
３        グリップスリーブ
３１      嵌め空間
３１１    開口
３２      補強子
４        締付子
４１      ロッド部
４２      ヘッド部
４３      螺旋段
【図１】
0003140064.tif 000003
【図２】
0003140064.tif 000004
【図３】
0003140064.tif 000005
【図４】
0003140064.tif 000006
【図５】
0003140064.tif 000007